(57)【要約】【課題】移動体の移動に伴って、移動体から移動体外部へ通信により適切に情報提供することのできる情報提供装置を提供する。【解決手段】移動体上に搭載される情報提供装置１１であって、情報を蓄積する情報蓄積部と、移動体外部の通信相手と通信を行う通信部と、移動体の移動に伴って移動する通信可能範囲内で通信部が通信している通信相手を把握する通信先把握部と、把握した通信相手に情報蓄積部の蓄積情報を送信するように指示する送信指示部とを具備し、移動体上から移動体外部の携帯端末１２を把握し携帯端末１２に適切な情報を提供する。【選択図】図１
2006024996.tif 000002
【特許請求の範囲】
【請求項１】
移動体上に搭載される情報提供装置であって、情報を蓄積する情報蓄積部と、移動体外部の通信相手と通信を行う通信部と、前記移動体の移動に伴って移動する前記通信部の通信範囲内で前記通信部が通信可能な通信相手を把握する通信先把握部と、前記把握した通信相手に前記情報蓄積部の情報を送信するように指示する送信指示部とを具備する情報提供装置。
【請求項２】
前記送信する情報は把握した通信相手からの情報、または把握した通信相手の登録情報に関係したものである請求項１記載の情報提供装置。
【請求項３】
前記移動体は定期的な移動路線を有し、前記送信する情報は、自らの移動路線に関係するものであるか、または前記自らの移動路線と関連する他の移動路線に関係するものである請求項1または２記載の情報提供装置。
【請求項４】
自らの位置を把握する位置把握部をさらに具備し、前記送信する情報は、前記位置把握部で把握された現在位置に関係するものである請求項1から請求項３のいずれかに記載の情報提供装置。
【請求項５】
前記通信先把握部が把握する通信相手には、提供用情報を集積している通信相手を含み、前記通信相手から受信した提供用情報を前記情報蓄積部に蓄積する受信情報登録部をさらに具備する請求項１から請求項４のいずれかに記載の情報提供装置。
【請求項６】
移動体上に搭載されるプログラムであって、コンピュータに、
移動体外部の通信相手と通信を行う通信ステップと、前記移動体の移動に伴って移動する通信ステップでの通信範囲内で前記通信ステップで通信可能な通信相手を把握する通信先把握ステップと、前記把握した通信相手に、蓄積した情報を送信するように指示する送信指示ステップを実行させるためのプログラム。
【請求項７】
情報を移動体上に蓄積しており、移動体外部の通信相手と通信し、移動体の移動に伴って移動する通信範囲内で通信可能となる通信相手を把握して、前記把握した通信相手に前記蓄積した情報を送信する情報提供方法。
【請求項８】
前記把握する通信相手には、提供用情報を集積している通信相手を含み、前記通信相手から受信した提供用情報を移動体上にさらに蓄積する請求項７に記載の情報提供方法。
【発明の詳細な説明】
【技術分野】
【０００１】
本発明は、移動体から移動体周辺の端末への情報提供を効果的に行える情報提供システム等に関し、特に定期路線を有するバス等から車外にある携帯端末等への情報提供において好適に使用される情報提供システム等に関するものである。
【背景技術】
【０００２】
従来技術は、電車などの移動体の移動経路に沿った複数の箇所にデータ基地局を配置し、移動体が近づいたときデータ基地局から移動体にデータを送信し、このデータを移動体内のサーバに蓄え中継局を経由して移動体内の携帯端末等に適宜配信するデータ配信システムである（特許文献１参照）。
【特許文献１】特開２００２−１９０７６４号公報（第１頁、第１図等）
【発明の開示】
【発明が解決しようとする課題】
【０００３】
しかしながら、従来技術におけるシステムは、移動体内に所在する携帯端末等に最新のデータを配信するものであり、移動体の外部に存在する携帯端末等へのデータの配信は全く考慮されていない。
【０００４】
近時においては、路線バスのみならず電車においても、車体に広告を塗装して動く広告としての利用が始まっており、このような移動体を利用した、移動体の移動に伴う広範囲の移動体の外部への情報提供あるいは宣伝広告が望まれていることを示している。
【０００５】
本発明は、このような移動体の移動に伴って移動体から移動体の外部への情報提供を、情報技術を利用して行うものであり、データ量の大きい映像情報や種々の情報、さらに最新の情報等を集め、適切に移動体外部の端末等へ提供することを目的とする。
【課題を解決するための手段】
【０００６】
本発明の情報提供装置は、移動体上に搭載される情報提供装置であって、情報を蓄積する情報蓄積部と、移動体外部の通信相手と通信を行う通信部と、前記移動体の移動に伴って移動する前記通信部の通信範囲内で前記通信部が通信可能な通信相手を把握する通信先把握部と、前記把握した通信相手に前記情報蓄積部の情報を送信するように指示する送信指示部とを具備した構成を有している。
【０００７】
この構成により、移動体からの通信可能範囲内に存在する通信相手を、移動体の移動に伴って把握して、その通信相手に蓄積した情報を提供できる。
【０００８】
また、本発明の情報提供装置は、通信相手に送信する情報は把握した通信相手からの情報、または通信相手の登録情報に関係するものである。
【０００９】
この構成により、移動体からの通信可能範囲内に存在する通信相手に、その通信相手が指示した情報、あるいは通信相手の登録情報に沿った情報を送ることができ、適切な相手に適切な情報のみを送ることができる。
【００１０】
さらに、本発明の情報提供装置は、本装置が搭載される移動体が定期的な移動路線を有し、送信する情報は、自らの移動路線に関係するもの、あるいは前記移動路線と関連する他の移動路線に関係するものである。
【００１１】
この構成により、移動体からの通信可能範囲内に存在する通信相手に、自らの移動路線あるいはこれに関連した他の移動路線に関係した情報を送ることができ、身近な移動路線に係る情報を適切な相手に送ることができる。
【００１２】
さらに、本発明の情報提供装置は、自らの位置を把握する位置把握部をさらに具備し、送信する情報は、前記位置把握部で把握された現在位置に関係するものである。
【００１３】
この構成により、移動体からの通信可能範囲内に存在する通信相手に、通信相手が現在いる地点に関係する情報を送ることができ、通信相手に地理的に適切な情報を送ることができる。
【００１４】
さらに、本発明の情報提供装置は、その通信先把握部が把握する通信相手には、提供用情報を集積している通信相手を含み、前記通信相手から受信した提供用情報を前記情報蓄積部に蓄積する受信情報登録部をさらに具備する構成を有している。
【００１５】
この構成により、移動体の通過の際の情報提供により、容易に最新の情報を収集することができるとともに、この最新の情報を移動体からの通信可能範囲内に存在する通信相手にすぐに提供することができる。
【発明の効果】
【００１６】
本発明は、移動体の移動に伴って移動する、移動体の通信範囲内に存在する通信相手を次々に把握して、その通信相手に蓄積した情報を提供することができる。
【発明を実施するための最良の形態】
【００１７】
以下、情報提供装置の実施の形態について、図面を用いて説明する。なお、実施の形態において同じ符号を付した構成要素は同様の動作を行うので、再度の説明を省略する場合がある。
（実施の形態１）
図１は本実施の形態における情報提供システムの概念図である。
本情報提供システムは、情報提供装置１１、携帯端末１２を具備する。情報提供装置１１は路線バス等の定期的移動路線を有する移動体上に搭載され、運行前に蓄積された情報を運行中に路線周辺の端末に提供する装置である。携帯端末１２は、移動体の接近により移動体に搭載された情報提供装置１１との通信可能範囲に入ると、情報提供装置から情報を受信し、これを表示して提供情報を確認できるようにする。
【００１８】
図２は本実施の形態における情報提供システムのブロック図である。情報提供装置１１は、通信部１１０１、通信先把握部１１０２、送信指示部１１０３、情報蓄積部１１０４を具備する。
【００１９】
携帯端末１２は、近距離通信部１２０１、アプリ制御部１２０２、受信情報格納部１２０３、表示制御部１２０４、表示部１２０５を具備する。
【００２０】
情報提供装置１１の通信部１１０１は携帯端末１２と通信する。情報提供装置１１の通信機能は、その通信のための無線電波を定期的に拾える状態になっているとする。通信部１１０１は、通常無線ＬＡＮのような近距離無線の通信手段で実現される。
【００２１】
通信先把握部１１０２は、通信部１１０１が通信可能となった通信先から得た情報に基づいて、通信相手を把握する。相手先から得た情報は、例えば端末識別子を含む。通信先把握部１１０２は、通常ＭＰＵやメモリ等から実現されうる。通信先把握部１１０２が行う処理手順は、通常ソフトウェアで実現され、当該ソフトウェアはＲＯＭ等の記録媒体に
記録されている。但し、ハードウェア（専用回路）で実現してもよい。
【００２２】
送信指示部１１０３は、通信先把握部１１０２が把握した通信相手に蓄積した情報を送信するように指示する。送信指示部１１０３は、通常ＭＰＵやメモリ等から実現されうる。送信指示部１１０３が行う処理手順は、通常ソフトウェアで実現され、当該ソフトウェアはＲＯＭ等の記録媒体に記録されている。但し、ハードウェア（専用回路）で実現してもよい。
【００２３】
情報蓄積部１１０４は、情報を蓄積する。その記録媒体は、情報提供装置１１の内蔵の記録媒体でも外付けの記録媒体でもよい。情報蓄積部１１０４は、通常ＭＰＵやメモリ等から実現されうる。情報蓄積部１１０４が行う処理手順は、通常ソフトウェアで実現され、当該ソフトウェアはＲＯＭ等の記録媒体に記録されている。但し、ハードウェア（専用回路）で実現してもよい。
【００２４】
携帯端末１２の近距離通信部１２０１は、情報提供装置１１と通信する。携帯端末１２の近距離通信機能は、その通信のための無線電波を定期的に拾える状態になっているものとする。近距離通信部１２０１は、通常無線ＬＡＮのような近距離無線の通信手段で実現される。
【００２５】
アプリ制御部１２０２は、携帯端末１２上で、情報提供装置１１を通信相手とするアプリケーション処理を実行させる。近距離通信部１２０１で通信相手と通信が可能となった場合に動作する。アプリ制御部１２０２は、通常ＭＰＵやメモリ等から実現されうる。アプリ制御部１２０２が行う処理手順は、通常ソフトウェアで実現され、当該ソフトウェアはＲＯＭ等の記録媒体に記録されている。但し、ハードウェア（専用回路）で実現してもよい。
【００２６】
受信情報格納部１２０３は、情報提供装置１２から受信した情報を受け取り、格納する。受信情報格納部１２０３は、通常ＭＰＵやメモリ等から実現されうる。受信情報格納部１２０３が行う処理手順は、通常ソフトウェアで実現され、当該ソフトウェアはＲＯＭ等の記録媒体に記録されている。但し、ハードウェア（専用回路）で実現してもよい。提供情報を格納する記録媒体は不揮発性のものが好適である。
【００２７】
表示制御部１２０４は、受信情報格納部１２０３に格納されている情報を適宜表示する指示を行う。表示制御部１２０４は、通常ＭＰＵやメモリ等から実現されうる。表示制御部１２０４が行う処理手順は、通常ソフトウェアで実現され、当該ソフトウェアはＲＯＭ等の記録媒体に記録されている。但し、ハードウェア（専用回路）で実現してもよい。
【００２８】
表示部１２０５は、表示制御部１２０４の指示で格納情報をディスプレイに表示する。表示部１２０５は、例えばディスプレイと当該ディスプレイのドライバーソフト等である。
【００２９】
以下、本情報提供システムの動作について説明する。まず、情報提供装置１１の動作について図３のフローチャートを用いて説明する。
【００３０】
（ステップＳ３０１）通信部１１０１は、通信機能により通信可能な通信相手を探す。通信相手が存在すればステップＳ３０２に行き、存在しなければ、通信相手を探す処理を続ける。
【００３１】
（ステップＳ３０２）通信先把握部１１０２は、存在する通信相手からの情報を把握し、この情報に基づいて通信相手が端末登録されているか判断する。登録されていればステ
ップＳ３０３に行き、登録されていなければステップＳ３０１に戻る。
【００３２】
（ステップＳ３０３）送信指示部１１０３は、情報蓄積部１１０４に蓄積された情報から自らの移動路線が提供対象となっている蓄積情報のみを選択する。
【００３３】
（ステップＳ３０４）送信指示部１１０３は、前ステップで選択された情報から、さらに通信相手からの情報のなかの指定に基づき、また通信相手の端末登録に係る属性情報が提供対象となっている蓄積情報のみを選択する。
【００３４】
（ステップＳ３０５）送信指示部１１０３は、前ステップで選択された情報の送信を通信先把握部１１０２に指示し、通信部１１０１はこれを送信する。
【００３５】
なお、図３のフローチャートにおいて、電源オフや処理終了の割り込みにより処理は終了する。
【００３６】
次に、携帯端末１２の動作について図４のフローチャートを用いて説明する。
【００３７】
（ステップＳ４０１）近距離通信部１２０１は、通信機能により通信可能な通信相手を把握する。把握できればステップＳ４０２に行き、把握できなければ通信相手を把握する処理を続ける。
【００３８】
（ステップＳ４０２）アプリ制御部１２０２は、情報受信のアプリケーション処理を開始させる。
【００３９】
（ステップＳ４０３）受信情報格納部１２０３は、アプリケーション処理として、近距離通信部１２０１から受信情報を受け取り、格納する。
【００４０】
（ステップＳ４０４）受信情報の格納が完了すれば、アプリケーション処理は終わり、携帯端末の動作はステップＳ４０１に戻る。
【００４１】
なお、図４のフローチャートにおいて、電源オフや処理終了の割り込みにより処理は終了する。
【００４２】
また、格納された受信情報の表示は、携帯端末１２の表示制御部１２０４及び表示部１２０５で、通常に行われる記録情報の表示機能により実現できる。具体的にはキー操作により、表示したい情報を選択してディスプレイ上に表示する。
【００４３】
以下、本実施の形態における情報提供システムの具体的な動作について説明する。情報提供システムの概念図は図１である。
【００４４】
移動体である路線バス等に情報提供装置１１は搭載される。そこに蓄積される情報は、路線バス等が運行される前に蓄積されるとする。路線バス等が自らの路線に沿って移動するに伴って、情報提供装置１１の通信機能の通信可能範囲も当該路線に沿って移動してゆく。この路線近辺に人が所持する携帯端末１２が存在する場合、路線バス等が近づくと、互いに通信が可能となる。
【００４５】
情報提供装置１１は携帯端末１２の存在を把握し、携帯端末１２からの情報を取得する。この通信相手情報には携帯端末１２を識別する識別子が含まれており、この識別子を用いて把握した通信相手が端末登録されていることを確認する。通信相手情報は具体的には、図５に示すものであり、この場合端末識別子１２３４５６７８が含まれている。また、
端末登録されていることを確認するための登録情報は具体的には、図６に示すものであり、端末識別子、この場合１２３４５６７８が先頭に格納され、その属性情報として所有者氏名、性別コード、生年月日、住所区分が格納されている。本実施の形態では、情報提供装置１１は事前に登録された相手にのみ情報提供サービスを行うこととしており、これらの登録情報は事前のサービス申し込み時に端末所有者等から提出を受けて登録されているとする。
【００４６】
通信相手が登録済みであることを確認したあと、情報提供装置１１の蓄積情報の送信にあたっては、自らの路線に関係する情報、あるいは自らの路線に関連する他の路線に関係する情報に絞って送信することができる。具体的には、自らの路線番号を基に、自らの路線番号が提供対象である情報に絞る。
【００４７】
この提供対象を指定する情報は、図７の蓄積情報の提供対象指定表に記載されている。
【００４８】
この表において、各蓄積情報は路線バス等のどの路線において提供するのか、また提供対象者の性別、年齢層、住所区分は何か、さらに提供すべき時間帯はいつかについて指定しており、最後に情報種別と情報ファイル名を記載している。図７に示す情報は、情報提供装置１１の蓄積情報と同様に、路線バス等が運行する前に設定されているとする。
【００４９】
通信相手が登録済みであることを確認したあとの、移動路線に基づく提供情報の絞込みは、自路線番号が１０１である移動体の場合、図７の指定に基づき蓄積情報のうち対象路線欄が１０１である「ビデオクリップ１２３４」と、関連路線欄が１０１である「公告飲食２２３４」が、まず提供対象として抽出される。自らの路線番号は、路線バス等が運行開始する前に情報提供装置１１に設定しておくとする。図７においては、各蓄積情報ごとに、提供対象となる路線バス等の路線番号やこの路線に関連した路線番号を指定することができる。例えば１番目の情報では提供対象となる路線は１０１であり、これに関連した路線２０１、２１１にも提供する。
【００５０】
また通信相手情報に含まれる、提供情報を指定する情報に基づいて蓄積情報を絞り込むことができる。図５に示すように、通信相手情報には、端末識別子のほか欲しい情報種別を指定する情報種別指定があり、ここでは例として「０２」というコードになっており映像データを指定している。この通信相手情報を持つ通信相手に対しては、自路線番号１０１の移動体は、図７の提供対象の指定表の情報種別欄を参照して、この欄が０２で映像である「ビデオクリップ１２３４」を抽出するが、この欄が０１でテキストである「公告飲食２２３４」は抽出しない。
【００５１】
さらに、登録されている通信相手に関する属性情報に基づいて蓄積情報を絞り込むことができる。登録情報は、図６に示すものであり、端末識別子のほか、所有者氏名、性別コード、生年月日、住所区分が登録されており、これらの情報を基に図７の蓄積情報の提供対象指定表を参照して、通信相手の属性が提供対象となっている情報に絞る。
【００５２】
図６において、通信相手の端末識別子が１２３４５６７８の場合、属性情報の性別コードは１で男で、生年月日１９８０１２３１から計算して（計算時点は２００４．０４．０１とする）年齢層は２０歳台である。一方、図７の提供対象指定表では、すでに自路線番号及び通信相手情報から絞った情報、「ビデオクリップ１２３４」は提供対象者は１の男で、年齢層は２０、３０歳台であり、提供対象情報となる。
【００５３】
また、図７に示すように、情報を提供しようとしている時刻を基に時間帯の指定から提供情報を絞ることができる。ただし、この例においては「ビデオクリップ１２３４」には時間帯の指定がなく絞り込みは行われない。なお、図７に示された「公告飲食２２３４」
の時間帯指定の「午後(2)」は１６時から２０時としている。現在時刻は、コンピュータであるＭＰＵで実現される情報提供装置１１の時刻機能から得られる。さらに、時間帯に限られず、日付、曜日などについて設定してもよい。
【００５４】
このようにして、提供すべき情報として選択された蓄積情報は、図７に示す表の右端欄の情報ファイル名を使って実際の情報データが得られる。
【００５５】
以上のようにして蓄積情報から選択された蓄積情報は、情報提供装置１１から、携帯端末１２に送信される。携帯端末１２は、近距離通信が可能となると、情報を受信するためのアプリケーション処理が始まり、情報提供装置１１からの情報を受信して、格納する。
【００５６】
この情報は、後に携帯端末のディスプレイを利用して表示される。例えばビデオクリップが表示され、これにＣＤ割引チケットが付けられることが考えられる。また、路線バス等の路線周辺のショップ、商店街等の広告が表示され、これに割引券が付けられることが考えられる。
【００５７】
以上、本実施の形態によれば、路線バス等の移動体の移動に伴って、移動する通信機能の通信範囲内に存在する通信可能な通信相手を把握して、その通信相手に通信相手が指示した情報、あるいは通信相手の登録情報に沿った情報を提供でき、適切な相手に適切な情報のみを送ることができるほか、その移動体の路線に関係する情報あるいはその路線に関連した他の路線に関係する情報を提供でき、身近な情報を適切な相手に提供できる。
【００５８】
なお、図１において、携帯端末１２は１台のみ記載したが、情報提供装置１１との通信範囲内に複数あってもよい。
【００５９】
また、本実施の形態では、通信を無線ＬＡＮ等の近距離通信機能により実現しているとしたが、これ以外の通信機能であってもよい。このことは他の実施の形態においても同じである。
【００６０】
また、本実施の形態では、移動体は路線バス等の定期的な移動路線を有するものとしているが、これに限られず、定まった移動路線を持たないものであってもかまわない。この場合、図７の提供対象指定表の対象路線、関連路線の指定はなくなり、対応した処理も不要となる。このことは他の実施の形態においても同じである。
【００６１】
また、本実施の形態では、情報提供装置１１から情報を受信する携帯端末１２は、個人の所有する携帯端末としているが、これに限られず、グループ、あるいは不特定の複数の人を対象として情報を受信、格納する端末であってもよい。この場合、複数の人を対象とするため、図６の登録情報には生年月日等、値がない項目が存在することとなるが、例えば図７の提供対象指定表による絞込みにおいて、対応する登録情報に値がない場合は絞込みをしないことにすることができる。
【００６２】
また本実施の形態では、移動体上に蓄積した情報を提供する通信相手は、事前に端末登録されていることとしたが、これに限られず端末登録をしていない通信相手に情報を提供することとしてもかまわない。この場合、図５の通信相手情報の通信相手識別子の役割は不要となり、対応した図６の登録情報も不要となる。また対応した処理も不要である。
【００６３】
ただし、通信相手がこの登録情報として記載されたものと同様の情報を、図５の通信相手情報の情報種別指定に続いて通知することにより、この情報を登録情報と同様に扱って図７の提供対象指定表による蓄積情報の絞込みを実現してもよい。
【００６４】
また、本実施の形態によれば、通信相手情報に含まれる情報種別指定は、テキスト」、「映像」としたが、これらの情報に限られず、また店舗の業種、例えば飲食店や衣料品店などの指定であってもよいし、情報の分野、例えば音楽関係やスポーツ関係などの指定であってもよい。また、この情報種別指定を行わなくてもよい。
【００６５】
また、本実施の形態による登録情報の例を図６に示したが、属性情報はこれらに限られず、データの値もこれらに限られない。同様に蓄積情報の提供対象指定表の例を図７、図１０に示したが、情報提供対象の指定項目はこれらに限られない。また、これらの提供対象指定を行わなくてもかまわない。
【００６６】
また、図７、図１０に示す情報ファイル名から実際の情報データを取り出す際、その情報データは情報提供装置の内部にあるとしているが、これに限られず、例えばインターネット等のネットワークから取り込むことにしてもよい。この場合、例えば図７、図１０に示す情報ファイル名に外部から取り込むことを意味する記号を先頭に付すことによって判別し、記号により指定した外部から情報を取り込むようにすることができる。
【００６７】
さらに、本実施の形態における処理は、ソフトウェアで実現してもよい。そして、このソフトウェアをダウンロード等により配布してもよい。またこのソフトウェアをＣＤ−ＲＯＭなどの記録媒体に記録して流布してもよい。なお、このことは本明細書における他の実施の形態においても該当する。
【００６８】
なお、本実施の形態における情報提供装置を実現するソフトウェアは、以下のようなプログラムである。すなわち、このプログラムは移動体上に搭載されるプログラムであって、コンピュータに、移動体外部の通信相手と通信を行う通信ステップと、前記移動体の移動に伴って移動する通信ステップでの通信範囲内で前記通信ステップで通信可能な通信相手を把握する通信先把握ステップと、前記把握した通信相手に蓄積した情報を送信するように指示する送信指示ステップを実行させるためのプログラムである。
（実施の形態２）
本実施の形態における情報提供システムは、実施の形態１における情報提供システムでの情報提供装置に、路線バス等の移動体の現在位置を把握する機能を付加したものである。
【００６９】
本実施の形態における情報提供システムの概念図は図１と同様である。図８は本実施の形態における情報提供システムのブロック図である。情報提供装置８１は通信部１１０１、通信先把握部１１０２、送信指示部１１０３、情報蓄積部１１０４、位置把握部８１０５を具備する。
【００７０】
携帯端末１２は、近距離通信部１２０１、アプリ制御部１２０２、受信情報格納部１２０３、表示制御部１２０４、表示部１２０５を具備し、実施の形態１における携帯端末と同じものである。
【００７１】
情報提供装置８１の位置把握部８１０５は、路線バス等の移動体の移動に伴って、その時点時点での現在位置を把握する。位置把握部８１０５は、ＧＰＳ（Ｇｌｏｂａｌ  Ｐｏｓｉｔｉｏｎｉｎｇ  Ｓｙｓｔｅｍ）を用いて実現されうる。
【００７２】
以下、本情報提供システムの動作について説明する。情報提供装置８１の動作につて図９のフローチャートを用いて説明する。図９のフローチャートにおいて、図３のフローチャートと異なるステップに関してのみ説明する。
【００７３】
（ステップＳ９０１）送信指示部１１０３は、前ステップで選択された情報から、さら
に位置把握部８１０５が把握した移動体の路線上の現在位置に基づき、現在位置が含まれるエリアが提供対象となっている蓄積情報のみを選択する。
【００７４】
なお、携帯端末１２の動作は図４と同じである。
【００７５】
以下、本実施の形態における情報提供システムの具体的な動作について説明する。情報処理システムの概念図は図１である。
【００７６】
移動体である路線バス等に搭載された情報提供装置１１は、移動体の移動に伴って移動する。同様に移動する情報提供装置１１の通信機能の通信可能範囲に携帯端末１２が存在すると、通信が可能となり情報の提供が始まる。その際、情報提供装置１１の現在位置把握機能により、移動体の現在位置が把握でき、この移動体の現在位置に基づいて蓄積情報を絞り込むことができる。そのために、提供対象指定表の各蓄積情報には、提供対象位置を指定する。この提供対象指定表を図１０に示す。
【００７７】
図１０では、図７に示す実施の形態１の提供対象指定表の路線指定の次の欄に、提供対象位置を追加しており、具体的には停留所番号、この例では１５から２０までの停留所という提供対象位置を指定する。ここでは、停留所の指定は対象路線欄に対するものとしている。提供対象路線番号で提供情報を抽出したあと、情報提供装置１１の位置把握部８１０５から得られる現在位置データから、位置データの範囲と停留所番号を対応づけた表を利用することで現在位置に対応する停留所番号を得て、現在位置が情報提供する位置であるかを判断して、さらに提供情報を絞り込む。
【００７８】
図１０に示す情報は、情報提供装置の蓄積情報と同様に、路線バス等が運行する前に設定されているとする。
【００７９】
以上、本実施の形態によれば、路線バス等の移動体が通信相手に情報提供する際、その移動体の現在位置に基づく適切な情報、例えば通信相手がいる場所近くの店舗等の広告を提供することができ、身近な情報を適切な相手に提供することができる。
【００８０】
なお、提供情報の選択のための位置情報は停留所番号としたが、これに限られず、ＧＰＳによる直接的な位置情報によって選択してもよい。
【００８１】
また、位置把握部８１０５はＧＰＳに限られず、手動等で停留所番号を更新する手段から、停留所番号を得る仕組みとしてもよい。
【００８２】
また、本実施の形態では、移動体は路線バス等の定期的な移動路線を有するものとしているが、これに限られず定まった移動路線をもたないものであってもかまわない。この場合、現在位置による蓄積情報の絞込みは、図１０の提供対象指定表の対象停留所の指定ではなく、例えばＧＰＳによる位置データをそのまま利用してその範囲を指定することによって実現することができる。
（実施の形態３）
本実施の形態における情報提供システムは、実施の形態１、２での情報提供装置に、通信相手から提供用情報を受信し情報蓄積部に蓄積する機能を付加し、情報提供システムとして情報提供装置と携帯端末のほかに、情報集積装置を付加したものである。
【００８３】
本実施の形態における情報提供システムの概念図を図１１に示す。本情報提供システムは、情報提供装置１１、携帯端末１２、情報集積装置１１３を具備する。情報集積装置１１３は、路線バス等の移動体の接近により移動体に搭載された情報提供装置１１との通信可能範囲に入ると、情報提供装置へ蓄積情報を送信する。
【００８４】
図１２は本実施の形態における情報提供システムのブロック図である。情報提供装置１１１は通信部１１０１、通信先把握部１１０２、送信指示部１１０３、情報蓄積部１１０４、位置把握部８１０５、受信情報登録部１１１０６を具備する。
【００８５】
携帯端末１２は、近距離通信部１２０１、アプリ制御部１２０２、受信情報格納部１２０３、表示制御部１２０４、表示部１２０５を具備し、実施の形態１における携帯端末と同じものである。
【００８６】
情報集積装置１１３は、近距離通信２部１１３０１、通信管理部１１３０２、情報送信部１１３０３、地域情報蓄積部１１３０４を具備する。
【００８７】
情報提供装置１１１の受信情報登録部１１１０６は、通信相手から受信した情報を情報蓄積部１１０４に登録する。受信情報登録部１１１０６は、通常ＭＰＵやメモリ等から実現されうる。受信情報登録部１１１０６が行う処理手順は、通常ソフトウェアで実現され、当該ソフトウェアはＲＯＭ等の記録媒体に記録されている。ただし、ハードウェア（専用回路）で実現してもよい。
【００８８】
情報集積装置１１３の近距離通信２部１１３０１は、情報提供装置１１１と通信する。情報集積装置１１３の通信機能は、その通信のための無線電波を定期的に拾える状態になっているものとする。近距離通信２部１１３０１は、通常無線ＬＡＮのような近距離無線の通信手段で実現される。
【００８９】
通信管理部１１３０２は、近距離通信２部１１３０１で通信可能となった通信相手を把握、管理する。通信管理部１１３０２は、通常ＭＰＵやメモリ等から実現されうる。通信管理部１１３０２が行う処理手順は、通常ソフトウェアで実現され、当該ソフトウェアはＲＯＭ等の記録媒体に記録されている。ただし、ハードウェア（専用回路）で実現してもよい。
【００９０】
情報送信部１１３０３は、通信管理部１１３０２で把握した通信相手に情報を送信する。情報送信部１１３０３は、通常ＭＰＵやメモリ等から実現されうる。情報送信部１１３０３が行う処理手順は、通常ソフトウェアで実現され、当該ソフトウェアはＲＯＭ等の記録媒体に記録されている。ただし、ハードウェア（専用回路）で実現してもよい。
【００９１】
地域情報蓄積部１１３０４は、地域情報を蓄積している。その記録媒体は、情報集積装置１１３の内蔵の記録媒体でも外付けの記録媒体でもよい。地域情報蓄積部１１３０４は、通常ＭＰＵやメモリ等から実現されうる。地域情報蓄積部１１３０４が行う処理手順は、通常ソフトウェアで実現され、当該ソフトウェアはＲＯＭ等の記録媒体に記録されている。但し、ハードウェア（専用回路）で実現してもよい。
【００９２】
以下、本情報提供システムの動作について説明する。情報提供装置１１１の動作について図１３のフローチャートを用いて説明する。図１３のフローチャートにおいて、図３のフローチャートと異なるステップに関してのみ説明する。
【００９３】
（Ｓ１３０１）通信先把握部１１０２は、存在する通信相手からの情報を把握し、この情報に基づいて通信相手が情報集積装置として登録されているか判断する。登録されていればステップＳ１３０２へ行き、登録されていなければステップＳ３０１へ戻る。
【００９４】
（Ｓ１３０２）受信情報登録部１１１０６は、通信部１１０１経由で通信先把握部１１０２が受信した情報を受け取り、情報蓄積部１１０４の所定の位置に格納する。
【００９５】
なお、図１３のフローチャートにおいて、電源オフや処理終了の割り込みにより処理は終了する。
【００９６】
次に、情報集積装置１１３の動作について図１４のフローチャートを用いて説明する。
【００９７】
（Ｓ１４０１）近距離通信２部１１３０１は、近距離通信により通信相手と通信し、相手を把握する。把握できればステップＳ１４０２に行き、把握できなければ通信相手を把握する処理を続ける。
【００９８】
（Ｓ１４０２）通信管理部１１３０２は、通信相手を確認する。
【００９９】
（Ｓ１４０３）情報送信部１１３０３は、地域情報蓄積部１１３０４に蓄積されている情報を通信管理部１１３０２に送信依頼し、近距離通信部１１３０１がこれを送信する。
【０１００】
なお、図１４のフローチャートにおいて、電源オフや処理終了の割り込みにより処理は終了する。
【０１０１】
以下、本実施の形態における情報提供システムの具体的な動作について説明する。情報提供システムの概念図は図１１である。
【０１０２】
移動体である路線バス等に搭載された情報提供装置１１は、移動体の移動に伴って移動し、同様に移動する通信機能の通信可能範囲内に存在する携帯端末１２に対して情報を提供する。一方、移動路線に近接した地点、例えば停留所に情報集積装置１１３を配置しておけば、移動体の接近により、情報提供装置１１と情報集積装置１１３の間で通信が可能となる。その際情報集積装置１１３から、その時点でそこに蓄積されている情報を情報提供装置１１に送信することができる。この場合、具体的には図１５に示す通信相手情報には、情報集積装置１１３を識別する情報集積装置識別子２１２３４５６７が含まれており、これをもとに図１６に示す情報集積装置の登録情報により情報蓄積装置１１３の登録を確認できる。
【０１０３】
情報蓄積装置１１３から情報を受信した情報提供装置１１は、その情報を所定の場所に蓄積する。具体的には、図１６に示すように、情報集積装置識別子２１２３４５６７の行の情報種別０１によってさらに受信情報を識別し、表右端の情報ファイル名により受信情報を格納する。
【０１０４】
図１６に示す情報は情報提供装置の蓄積情報と同様に、路線バス等が運行する前に設定されているとする。
【０１０５】
このようにして、移動体の運行中に情報提供装置１１に蓄積された新しい情報は、この後に移動体の通信可能範囲に入った携帯端末等が、前述したように図７あるいは図１０に示す蓄積情報の提供対象指定表の指定条件に合えば、同表の右端の情報ファイル名によって取り出され、当該携帯端末等に提供することができる。
【０１０６】
以上、本実施の形態によれば、移動体の移動路線近くに情報集積装置を配置しておき、移動体の移動につれて移動体が情報集積装置に近づいたとき、移動体上の情報提供装置は情報集積装置上のその時点の情報を受信できる。従って、移動体上の情報提供装置は、その後に通信可能となる通信相手にその受信情報を提供することができ、地域に密着した最新の情報を適切な相手に提供することができる。
【０１０７】
なお、本実施の形態における情報提供装置１１１の通信部は、ひとつの通信電波を使った近距離無線を想定しているが、携帯端末１２との間、情報集積装置１１３との間での通信で、異なる通信電波を用いた近距離無線による通信を行ってもよい。この場合、図１３の情報提供装置の動作を示すフローチャートのＳ３０１は、２種の通信電波について通信相手の存在をチェックすることになる。
【０１０８】
また、本実施の形態においては、情報提供装置に情報を送信する情報集積装置は、移動体の移動路線に近接した地点に配置されたコンピュータとしたが、これに限られず、携帯電話やその他の携帯情報端末などであってもかまわない。
【産業上の利用可能性】
【０１０９】
以上のように、本発明にかかる情報提供装置は、移動体から近距離通信の範囲内に存在する通信相手を、移動体の移動に伴って把握して、その通信相手に適切な情報を提供することができるという効果を有し、移動体から移動体周辺の端末への情報提供を効果的に行える情報提供システム等として有用である。
【図面の簡単な説明】
【０１１０】
【図１】実施の形態１における情報提供システムの概念図
【図２】実施の形態１における情報提供システムのブロック図
【図３】実施の形態１における情報提供装置の動作を説明するフローチャート
【図４】実施の形態１における携帯端末の動作を説明するフローチャート
【図５】実施の形態１における通信相手情報の具体例を示す図
【図６】実施の形態１における登録情報の具体例を示す図
【図７】実施の形態１における蓄積情報の提供対象指定表の具体例を示す図
【図８】実施の形態２における情報提供システムのブロック図
【図９】実施の形態２における情報提供装置の動作を説明するフローチャート
【図１０】実施の形態２における蓄積情報の提供対象指定表の具体例を示す図
【図１１】実施の形態３における情報提供システムの概念図
【図１２】実施の形態３における情報提供システムのブロック図
【図１３】実施の形態３における情報提供装置の動作を説明するフローチャート
【図１４】実施の形態３における情報集積装置の動作を説明するフローチャート
【図１５】実施の形態３における通信相手情報（情報集積装置）の具体例を示す図
【図１６】実施の形態３における登録情報（情報集積装置）の具体例を示す図
【符号の説明】
【０１１１】
１１、８１、１１１  情報提供装置
１２  携帯端末
１１３  情報集積装置
１１０１  通信部
１１０２  通信先把握部
１１０３  送信指示部
１１０４  情報蓄積部
１２０１  近距離通信部
１２０２  アプリ制御部
１２０３  受信情報格納部
１２０４  表示制御部
１２０５  表示部
８１０５  位置把握部
１１１０６  受信情報登録部
１１３０１  近距離通信２部
１１３０２  通信管理部
１１３０３  情報送信部
１１３０４  地域情報蓄積部
【図１】
2006024996.tif 000003
【図２】
2006024996.tif 000004
【図３】
2006024996.tif 000005
【図４】
2006024996.tif 000006
【図５】
2006024996.tif 000007
【図６】
2006024996.tif 000008
【図７】
2006024996.tif 000009
【図８】
2006024996.tif 000010
【図９】
2006024996.tif 000011
【図１０】
2006024996.tif 000012
【図１１】
2006024996.tif 000013
【図１２】
2006024996.tif 000014
【図１３】
2006024996.tif 000015
【図１４】
2006024996.tif 000016
【図１５】
2006024996.tif 000017
【図１６】
2006024996.tif 000018